(57)【特許請求の範囲】
【請求項１】
ネットワークに接続される監視カメラ装置であって、
カメラ設置場所を示すカメラグループ情報を、前記ネットワークを介して外部に通知する第一の通知手段と、
前記ネットワークを介して外部から機能問合せ要求があった場合に、前記第一の通知手段を有することを外部に通知する第二の通知手段と、
前記カメラグループ情報を設定する設定手段と、
ホワイトバランス設定を自動で行う自動ホワイトバランス設定手段と、
ホワイトバランス設定値を、前記ネットワークを介して外部に通知する第三の通知手段と、
前記カメラグループ情報と前記ホワイトバランス設定値を、前記ネットワークを介して外部に通知する第四の通知手段と、を有することを特徴とする監視カメラ装置。
【請求項２】
ネットワークに接続される監視カメラ制御装置であって、
前記ネットワークで接続された複数の監視カメラ装置の設置場所に応じて固有のカメラグループ情報を設定する設定手段と、
前記ネットワークを介して接続される監視カメラ装置への機能問い合わせ要求、及び該監視カメラ装置からの応答受信を行う通信手段と、
前記監視カメラ装置が前記カメラグループ情報を通知する手段を有することをしめす情報を、前記監視カメラ装置から受信する手段と、
前記カメラグループ情報を記憶する記憶手段と、
同一場所に設置された監視カメラに対して同一の場所であることを示すカメラグループ情報を通知する手段と、
前記ネットワークで接続された複数の監視カメラ装置に対して自動ホワイトバランス設定指示を行う指示手段と、
前記複数の監視カメラ装置に対し、ホワイトバランス設定値の取得要求を行う要求手段と、
前記複数の監視カメラ装置から、前記ホワイトバランス設定値を受信する受信手段と、
前記複数の監視カメラ装置から、前記カメラグループ情報を受信する手段と、
同一カメラグループに属する複数の監視カメラ装置のホワイトバランス設定値が閾値を超えていた場合にユーザに通知する手段と、を有し、
前記閾値は各ホワイトバランス設定値の差分、またはユーザが予め設定したホワイトバランス設定値との差分であることを特徴とする監視カメラ制御装置。
【請求項３】
請求項２に記載の監視カメラ制御装置であって、
前記受信したホワイトバランス設定値のうち、ホワイトバランス設定に成功した同一カメラグループ内の監視カメラ装置のホワイトバランス設定値を用いて自動ホワイトバランス設定指示をする通信手段を有することを特徴とする監視カメラ制御装置。
【請求項４】
ネットワークに接続される監視カメラ制御装置であって、
前記ネットワークで接続された複数の監視カメラ装置に対して自動ホワイトバランス設定指示を行う指示手段と、
前記複数の監視カメラ装置に対し、ホワイトバランス設定値の取得要求を行う要求手段と、
前記複数の監視カメラ装置から、前記ホワイトバランス設定値を受信する受信手段と、を有し、
前記監視カメラ装置の自動ホワイトバランス設定に失敗した際に、前記受信したホワイトバランス設定値のうち、ホワイトバランス設定に成功した監視カメラ装置のホワイトバランス設定値を用いて自動ホワイトバランス設定指示をする通信手段を有することを特徴とする監視カメラ制御装置。
【発明の詳細な説明】
【技術分野】
【０００１】
本発明は、監視カメラ装置と監視カメラ制御装置に関する。
【背景技術】
【０００２】
本技術分野の背景技術として特許文献１がある。特許文献１では、「複数の撮像装置で協調して撮影するとき、白い被写体を含まない撮像装置でもホワイトバランスを簡単かつ適切に補正でき、また、撮像装置毎の色味が揃うホワイトバランス制御装置、ホワイトバランス制御方法を提供する。」という課題に対し「撮像装置１００は、外部の撮像装置（１０１〜１０３）からホワイトバランス補正量とその信頼度に関する情報であるホワイトバランス情報を取得する。また、自機のホワイトバランス補正量とその信頼度を算出し、取得したホワイトバランス情報を含めて、信頼度の最も高いホワイトバランス補正量に基づき、自機を含む複数の撮像装置のホワイトバランスゲインを補正する。」という解決手段を用いることが記載されている。
【先行技術文献】
【特許文献】
【０００３】
【特許文献１】特開2010-4464（要約参照）
【発明の概要】
【発明が解決しようとする課題】
【０００４】
引用文献１では、同一被写体を複数の撮像装置で撮影する際のホワイトバランス制御方法を提案されている。同一ネットワーク上にある複数の撮像装置間でホワイトバランス補正量や信頼度を送受信し、信頼度の最も高いホワイトバランス補正量を用いて複数の撮像装置のホワイトバランス値を補正する技術が提供されている。
【０００５】
近年、ＩＰ（Ｉｎｔｅｒｎｅｔ  Ｐｒｏｔｏｃｏｌ）伝送を用いた監視カメラシステムが普及しつつある。ＩＰ監視カメラシステムでは、複数の監視カメラ及び監視レコーダ、監視カメラ制御装置（ＩＰネットワーク機器）がネットワークを介して接続されており、アナログ監視カメラに比べて設置が容易であり、遠距離監視が可能である。更に高画質化も可能である。従来のＩＰ伝送を用いた監視カメラシステムでは、システムごとに独自の通信インターフェース用いてＩＰネットワーク機器間の制御を行っている場合が多く、前記通信インターフェースに対応していない監視機器を使用することができなかった。しかし、これらＩＰネットワーク機器間の通信プロトコルや通信フォーマットなどの通信インターフェースを標準化することで、柔軟に機器を選択し監視システムを構築することが可能となりつつある。例えば、標準インターフェースを用いてカメラ設定などの要求、制御を行うことができ、標準インターフェースに対応した機器であれば製造メーカなどを問わずに利用することが可能である。
【０００６】
また、監視カメラを利用するにあたりホワイトバランス調整を行い適切な色を再現できるようにする必要がある。そのためカメラごとに白い被写体を撮影しホワイトバランス調整を行うことがあり、自動でホワイトバランス調整を行うことやユーザ自身が色を確認しながら手動で行う方法がある。
【０００７】
しかし、特に自動ホワイトバランス調整を行った場合に、設定に失敗してしまうことがあり、ユーザは再度該当のカメラに対して手動でホワイトバランス調整を行う必要がある。
【課題を解決するための手段】
【０００８】
上記課題の解決するために、本発明によれば一例として特許請求の範囲に記載の発明を提供する。
【発明の効果】
【０００９】
本発明によれば、ユーザの使い勝手を向上させることができる。より具体的には、標準化された通信インターフェースに対応したＩＰネットワーク機器を用い、設置場所が同一である監視カメラのホワイトバランス調整における使い勝手が向上する。
【図面の簡単な説明】
【００１０】
【図１】監視カメラシステムのシステム構成
【図２】監視カメラシステムの構成例
【図３】カメラグループ設定処理フロー
【図４】ホワイトバランス設定処理フロー
【図５】カメラグループ設定処理フロー
【図６】ホワイトバランス設定処理フロー
【図７】ホワイトバランス設定処理フロー
【図８】ホワイトバランス設定処理フロー
【図９】ホワイトバランス異常時のカメラ制御装置における表示画面例
【図１０】通信フォーマット例
【発明を実施するための形態】
【００１１】
以下、図面を用いて本発明の実施形態を説明する。
【００１２】
本発明の実施に好適な実施形態の例を説明する。ただし、本発明は本実施例に限定されない。図１は、本発明におけるシステム構成である監視カメラシステム１００の一例を示す図である。
【００１３】
１０１は監視カメラ制御装置、１５１は監視カメラ装置である。これらは１９０ネットワークを介して接続されている。
【００１４】
１０１の監視カメラ制御装置では、１０２機能問合せ部、１０５機能設定部、１０９ホワイトバランス設定部、１１３標準通信Ｉ／Ｆ、１１４内部メモリ、１１５表示部を持つ。１０２機能問合せ部は、ＩＰネットワークで接続された監視カメラ装置に対して装置が持つ機能を問い合わせる機能問合せ要求部１０３、またその機能を受信する機能受信部１０４を有する。１０５機能設定部では、監視カメラ装置に対して設定を行う機能設定要求部１０６、また監視カメラ装置から設定値を受信する設定受信部を有する。１０９ホワイトバランス設定部は監視カメラにホワイトバランス設定を行うＷＢ（Ｗｈｉｔｅ Ｂａｌａｎｃｅ）設定要求部１１０、監視カメラからのホワイトバランス設定値を受信するＷＢ設定受信部１１１、設定されたホワイトバランスが正しいかどうかを判定するＷＢ設定判定部１１２を有する。
【００１５】
１５１監視カメラ装置は、１５２機能問合せ部、１５５機能設定部、１５８ホワイトバランス設定部、１６１標準通信Ｉ／Ｆ、１６２内部メモリを持つ。１５２機能問合せ部は、ＩＰネットワークで接続されたネットワーク機器からの自身のカメラが持つ機能の問合せ要求を受信する機能問合せ要求受信部、自身のカメラが持つ機能を通知する機能通知部１５４を有する。１５５機能設定部はネットワーク機器からの設定要求を受信する設定要求受信部１５６、設定内容に応じて自身のカメラに設定を行う設定処理部１５７、カメラの設定をネットワークに送信する設定送信部１６３を有する。ホワイトバランス設定の場合は設定処理部１５７からホワイトバランス設定部１５８に指示する。ホワイトバランス設定部１５８は自動でホワイトバランス調整を行う自動ＷＢ設定部１５９、受信した設定値でホワイトバランスを設定するＷＢ設定部１６０、WB設定値をネットワークに送信するWB設定送信部１６４を有する。
【００１６】
図２に監視カメラシステムの構成を示す。１０１は監視カメラ制御装置１、１３１は監視カメラ制御装置２であり、複数の監視カメラ制御装置がＩＰネットワーク１９０を介して接続されている。また、同一ネットワーク上に監視カメラが複数接続されている。
【００１７】
図１、図２により監視カメラシステムのシステム構成を示した。これらのIPネットワーク機器の処理フローを説明する。
【００１８】
図３に、監視カメラのカメラグループ情報の設定処理フローを示す。ステップ３０１では、標準通信Ｉ／Ｆ１６１を介し、１５３機能問合せ要求受信部により、ＩＰネットワークで接続された監視カメラ制御装置からの機能問い合わせ要求を受信する。本要求に対しステップ３０２では１５４機能通知部、１６１標準通信Ｉ／Ｆを介して自身が持つ機能を通知する。本例ではカメラグループの設定や応答機能を具備することを通知する。これにより、監視カメラ制御装置からカメラグループ設定要求が行われた際に、ステップ３０３でカメラグループ設定を受信し、ステップ３０４で設定されたカメラグループを内部メモリ１６２に格納する。
【００１９】
図４に、ステップ３００で示した監視カメラのホワイトバランス設定時のフローを示す。ステップ４０１では、ＩＰネットワークで接続された監視カメラ制御装置から標準Ｉ／Ｆ１６１、設定要求受信部１５６を介して自動ホワイトバランス設定要求を受信する。これにより、ステップ４０２で１５９自動ＷＢ設定部において自動ホワイトバランス設定処理を行う。この時、内部メモリ１６２に設定値を保持する。監視カメラ制御装置からホワイトバランス設定値の取得要求が行われた際に、ステップ４０３でホワイトバランス設定値取得要求を受信し、これに対しホワイトバランス設定値を内部メモリから読み出し、標準通信Ｉ／Ｆ１６１を介して送信する。この時、自身にカメラグループ情報が設定されている場合はカメラグループ情報も同時に送信する。
【００２０】
図５に、監視カメラ制御装置におけるカメラグループ設定フローを示す。ステップ５０１では、機能問合せ要求部１０２から標準通信Ｉ／Ｆ１１３を介してＩＰネットワークで接続された監視カメラ装置に機能問合せ要求を送信する。ステップ５０２では、標準通信Ｉ／Ｆに対応したネットワーク機器から送信される機能問合せ応答を標準通信Ｉ／Ｆ１１３、機能受信部１０４を介して受信する。ステップ５０３では、接続された監視カメラ装置においてカメラグループ情報設定が可能である場合はステップ５０４に進み、可能でない場合はステップ５０５に進む。ステップ５０４では同一の設置場所に設置したカメラに対して同一のカメラグループであることを示す情報を送信する。ステップ５０５では、同一の設置場所に設置したカメラに対して同一のカメラグループであることを示す情報を、カメラと対となるように内部メモリ１１４に保持する。
【００２１】
図６に、監視カメラ制御装置におけるホワイトバランス設定処理フローを示す。本例ではネットワークに接続された監視カメラ装置にカメラの設置場所を表すカメラグループが設定できない場合について示す。ステップ６０１では、ＷＢ設定要求部１１０と標準通信Ｉ／Ｆ１１３を介してＩＰネットワークに接続された全ての監視カメラ装置へ自動ホワイトバランス設定を行うよう送信する。これにより、該当の監視カメラ装置では自動ホワイトバランス調整を行う。ステップ６０２では、標準通信Ｉ／Ｆ１１３を介してホワイトバランス設定値取得要求を送信する。これにより、該当の監視カメラ装置からホワイトバランス設定値が送信される。ステップ６０４では、ＷＢ判定部１１２においてホワイトバランスの設定値が正常であるかどうかを判定する。内部メモリに保持したカメラグループが同じ監視カメラからのホワイトバランス設定値間の差分を比較しユーザが予め設定しておいた差分閾値を越えているカメラを異常状態、つまりホワイトバランス設定に失敗したとみなす。または、ユーザが予め設定しておいたホワイトバランス設定値との差分が閾値を越えているカメラを異常状態とする。この時、ステップ６０５において、ホワイトバランス設定に失敗した監視カメラに対して標準通信Ｉ／Ｆ１１３を介して正常と判断した監視カメラの設定値を用いてホワイトバランス設定を行うよう送信する。監視カメラは与えられた設定値を用いてホワイトバランス設定を行う。
【００２２】
図７に、監視カメラ制御装置におけるホワイトバランス設定処理フローを示す。本例ではネットワークに接続された監視カメラ装置にカメラの設置場所を表すカメラグループが設定できる場合について示す。ここで、同一カメラグループを持たないカメラに対しては本処理を行わなくてもよい。
【００２３】
ステップ７０１で複数の監視カメラに対してカメラグループ情報を送信する。同一設置場所に設置されたカメラ群には同一のカメラグループ情報を送信する。ステップ７０２では、複数の監視カメラに対して自動ホワイとバランス設定要求を送信し、ステップ７０３ではホワイトバランス設定値の取得要求を送信する。ステップ７０４で各監視カメラからホワイトバランス設定値を受信する。続いて、ステップ７０５で各監視カメラにカメラグループ情報取得要求を送信し、ステップ７０６でカメラグループ情報を受信する。受信したカメラグループで同一カメラグループ内のホワイトバランス設定値を比較する。比較方法は前記したように各ホワイトバランス設定値の差分を比較するなどの方法を用いる。ステップ７０８で設定値が正常である場合は終了し、異常である場合はステップ７０９で表示部１１５を用いてユーザに対し異常状態であることを表示する（図９）。ここで、ユーザは同様の設定としたいカメラ番号を入力またはカメラ映像を選択することで、選択したカメラのホワイトバランス設定値でホワイトバランス設定異常と判断したカメラナンバ５のカメラにホワイトバランス設定を行う。
【００２４】
または図８の監視カメラ制御装置におけるホワイトバランス設定処理フローのステップ８１０に進み、ホワイトバランス設定に失敗したカメラに対し、同一カメラグループ内の正常なホワイトバランス設定値を設定するようホワイトバランス要求送信を行ってもよい。
【００２５】
正常なホワイトバランス設定値は、ホワイトバランス設定に成功したカメラ群の設定値の平均値でもよく、最も設定値が大きいもの、または小さいものでもよい。
図１０に通信フォーマットの例を示す。（１）はグループＩＤ設定時におけるフォーマットであり、要求コマンド部にはグループＩＤ設定要求を表すコマンドを設定し、グループＩＤ部には設定したいグループＩＤを格納する。（２）はグループＩＤ取得要求に対する応答フォーマットである。応答識別子にはグループＩＤ取得要求に対する応答であることを示す識別子を、グループＩＤにはカメラに設定されて保持しているグループＩＤを格納する。（３）はホワイトバランス設定値取得要求における応答フォーマットである。応答識別子にはホワイトバランス設定取得要求に対する応答であることを示す識別子を、設定値１〜設定値ｘにはホワイトバランス設定値を格納する。
【００２６】
以上、本発明の好適な実施例を説明した。本発明によれば、標準化された通信インターフェースを用いたＩＰネットワーク機器のうちカメラ機能を持つ機器におけるカメラ制御設定を簡単に行うことができる。
【００２７】
本発明に関して、実施例に沿って説明を行ったが、本発明はこれらの例に限定されない。監視カメラシステムだけでなく、TV会議システムやTV電話などのカメラが付属する機能、クライアント機能を持つ機器に適用することが可能である。
【００２８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００２９】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【００３０】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００３１】
１００・・・監視カメラシステム
１０１・・・ネットワーク
２０１・・・監視カメラA
２１１・・・標準機能
２１２・・・独自機能
３０１・・・監視カメラB
３１１・・・独自機能
４０１・・・監視カメラC
４１１・・・標準機能
５０１・・・監視カメラ制御装置
５１１・・・標準機能
５１２・・・独自機能
【図１】
0005544317.tif 000002
【図２】
0005544317.tif 000003
【図３】
0005544317.tif 000004
【図４】
0005544317.tif 000005
【図５】
0005544317.tif 000006
【図６】
0005544317.tif 000007
【図７】
0005544317.tif 000008
【図８】
0005544317.tif 000009
【図９】
0005544317.tif 000010
【図１０】
0005544317.tif 000011